(57)【要約】【課題】谷折り底部側に付着する塵埃を極めて容易に剥離してフィルタ本体から確実に取り除くことができるフィルタ装置及びフィルタ装置における塵埃剥離方法を提供する。【解決手段】一方向に長手の山折り頂部９ａと、山折り頂部９ａの長手方向に沿った谷折り底部９ｂとが交互に形成されたフィルタ本体９と、フィルタ本体９を支持する枠部１０とを備える。谷折り底部９ｂの長手方向に沿って延設されて谷折り底部９ｂに対向する移動自在の線状部材１２を備える。谷折り底部９ｂに堆積した塵埃に線状部材１２が埋没した後に、線状部材１２をフィルタ本体９に対して移動させることにより、フィルタ本体９に付着した塵埃を剥離して除去する。【選択図】図３
2018153759.tif 000002
【特許請求の範囲】
【請求項１】
通過する空気中の塵埃を捕捉するシート状のフィルタ本体と、該フィルタ本体の周囲を囲って該フィルタ本体を支持する枠部とを備え、前記フィルタ本体が、一方向に長手の山折り頂部と、該山折り頂部の長手方向に沿った谷折り底部とが所定間隔を存して交互に配設された形状とされているフィルタ装置において、
前記谷折り底部の長手方向に沿って延設されて該谷折り底部に対向する移動自在の線状部材を備えることを特徴とするフィルタ装置。
【請求項２】
前記線状部材は、前記谷折り底部の最深部を覆っていることを特徴とする請求項１記載のフィルタ装置。
【請求項３】
通過する空気中の塵埃を捕捉するシート状のフィルタ本体と、該フィルタ本体の周囲を囲って該フィルタ本体を支持する枠部とを備え、前記フィルタ本体が一方向に長手の山折り頂部と、該山折り頂部の長手方向に沿った谷折り底部とが所定間隔を存して交互に配設された形状とされているフィルタ装置の塵埃剥離方法であって、
通過する空気に対向する側の前記谷折り底部に沿って線状部材を配置させる工程と、
谷折り底部に堆積した塵埃に前記線状部材が埋没した後に、該線状部材をフィルタ本体に対して移動させる工程とを備えることを特徴とするフィルタ装置における塵埃剥離方法。
【発明の詳細な説明】
【技術分野】
【０００１】
本発明は、ラジエータ等に供給する冷却空気等に混入する塵埃を捕捉するフィルタ装置、及び、フィルタ装置が捕捉した塵埃をフィルタ装置から剥離させる塵埃剥離方法に関する。
【背景技術】
【０００２】
例えば、油圧ショベル等の建設機械においては、エンジンのラジエータ等に向かう冷却用空気から塵埃を取り除くためにフィルタ装置が設けられる。
【０００３】
この種のフィルタ装置は、塵埃を捕捉するフィルタ本体と、フィルタ本体を支持する枠部とを備えている。枠部は、例えば、建設機械のエンジンルームに連通する吸気口又はその内側近傍に連結される。
【０００４】
また、フィルタ装置においては、フィルタ本体に塵埃が付着して堆積すると、フィルタ本体の通気性が低下する。そこで、フィルタ本体に付着する塵埃を除去するために、枠部を吸気口に搖動自在に取付けて、シリンダ等のアクチュエータで枠部と共にフィルタ本体に振動や衝撃を与えることで、フィルタ本体に付着する塵埃を振り落すようにしたものが提案されている（例えば、特許文献１参照）。
【先行技術文献】
【特許文献】
【０００５】
【特許文献１】特開２００４−２２５６２４号公報
【発明の概要】
【発明が解決しようとする課題】
【０００６】
ところで、この種のフィルタ装置が備えるフィルタ本体は、略平坦な形状のもの以外に、一方向に長手の山折り頂部と、該山折り頂部の長手方向に沿った谷折り底部とが所定間隔を存して交互に配設された形状のものが採用される。
【０００７】
フィルタ本体が山折り頂部と谷折り底部とを交互に備える形状であることにより、捕捉された塵埃は、谷折り底部側に比較的厚く堆積するが、その分、山折り頂部側の堆積厚が抑えられ、塵埃を十分に捕捉しながら通気抵抗を低く抑えることができる。
【０００８】
しかし、谷折り底部側に付着する塵埃は、堆積が進行すると固着状態となって剥離が困難となる。そして、谷折り底部側で固着状態となった塵埃は、上記従来のようにフィルタ本体を振動させても振り落すことができないことがあり、手作業でフィルタ本体を掃除する必要が生じるため手数がかかる。
【０００９】
上記の点に鑑み、本発明は、谷折り底部側に付着する塵埃を極めて容易に剥離してフィルタ本体から確実に取り除くことができるフィルタ装置及びフィルタ装置における塵埃剥離方法を提供することを目的とする。
【課題を解決するための手段】
【００１０】
本発明は、通過する空気中の塵埃を捕捉するシート状のフィルタ本体と、該フィルタ本体の周囲を囲って該フィルタ本体を支持する枠部とを備え、前記フィルタ本体が、一方向に長手の山折り頂部と、該山折り頂部の長手方向に沿った谷折り底部とが所定間隔を存して交互に配設された形状とされているフィルタ装置において、前記谷折り底部の長手方向に沿って延設されて該谷折り底部に対向する移動自在の線状部材を備えることを特徴とする。
【００１１】
本発明のフィルタ装置によれば、線状部材が谷折り底部に沿って延設されていることにより、谷折り底部に向う塵埃は線状部材に接し、谷折り底部への塵埃の堆積が進行すると、谷折り底部に溜まった塵埃に線状部材が埋没した状態となる。
【００１２】
その後、線状部材を谷折り底部から取り出す方向に移動させると、谷折り底部に堆積した塵埃は、線状部材の動きに追従して堆積状態が崩れる。これによって、フィルタ本体に付着した塵埃を極めて容易に剥離することができ、フィルタ本体の掃除にかかる手間を軽減することができる。
【００１３】
本発明において、前記線状部材は、前記谷折り底部の最深部を覆っていることが好ましい。線状部材が谷折り底部を覆うことにより、狭くて除去作業が困難となる谷折り底部の最深部に、塵埃が入り込むことを防止することができる。よって、谷折り底部の最深部に付着する塵埃を除去する手間を軽減することができる。
【００１４】
また、本発明は、通過する空気中の塵埃を捕捉するシート状のフィルタ本体と、該フィルタ本体の周囲を囲って該フィルタ本体を支持する枠部とを備え、前記フィルタ本体が一方向に長手の山折り頂部と、該山折り頂部の長手方向に沿った谷折り底部とが所定間隔を存して交互に配設された形状とされているフィルタ装置の塵埃剥離方法であって、通過する空気に対向する側の前記谷折り底部に沿って線状部材を配置させる工程と、谷折り底部に堆積した塵埃に前記線状部材が埋没した後に、該線状部材をフィルタ本体に対して移動させる工程とを備えることを特徴とする。
【００１５】
本発明の塵埃剥離方法は、谷折り底部に沿って線状部材を配置させ、谷折り底部の線状部材が塵埃に埋没した後に線状部材を移動させる。谷折り底部の線状部材が塵埃に埋没した状態になれば、線状部材を移動させるだけで、線状部材と共に塵埃がフィルタ本体から移動し、谷折り底部に付着する塵埃を容易に剥離することができる。これにより、フィルタ本体に付着する塵埃を容易に除去することができる。
【図面の簡単な説明】
【００１６】
【図１】本発明の実施形態のフィルタ装置を装着する油圧ショベルのエンジンルームを模式的に示す図。
【図２】本実施形態のフィルタ装置の斜視図。
【図３】本実施形態のフィルタ装置の分解斜視図。
【図４】フィルタ本体の要部の説明的断面図。
【図５】本発明のフィルタ装置の他の形態を示す図。
【図６】本発明のフィルタ装置の他の形態を示す図。
【発明を実施するための形態】
【００１７】
本発明の一実施形態として、油圧ショベルに採用した例を挙げて説明する。油圧ショベルは、図示しないが、クローラ式の下部走行体上に作業アタッチメントを備えた上部旋回体が搭載されて構成される。上部旋回体の後部には、図１に示すエンジンルーム１が設けられている。
【００１８】
図１に示すように、エンジンルーム１には、エンジン２と、このエンジン２によって駆動される油圧ポンプ３とが収容されている。エンジン２の前面側には、エンジン２を冷却するラジエータ４と作動油を冷却するオイルクーラー５とが設けられ、ラジエータ４とエンジン２との間には、ファン６が設けられている。
【００１９】
エンジンルーム１の側壁には吸気口７が開設されている。ファン６が回転すると、吸気口７から外気が吸い込まれてラジエータ４及びオイルクーラー５を通過する。このとき、外気が冷却用空気として作用し、ラジエータ４及びオイルクーラー５が冷却される。
【００２０】
吸気口７とオイルクーラー５との間には、外気と共にエンジンルーム１へ侵入しようとする塵埃を捕捉するフィルタ装置８が装着されている。
【００２１】
フィルタ装置８は、図２及び図３に示すように、正面視矩形状に形成されており、塵埃を捕捉するためにフィルタ本体９と、フィルタ本体９を支持する第１フレーム１０（枠部）と、第１フレーム１０の外側に設けられた第２フレーム１１と、第２フレーム１１に支持された複数の剥離部材１２（線状部材）とを備えている。
【００２２】
第１フレーム１０と第２フレーム１１は、図１に示すように、エンジンルーム１内のフィルタ保持枠８ａに着脱自在に保持される。第２フレーム１１は、第１フレーム１０から離反可能な状態で第１フレーム１０に当接している。なお、符号８ｂは、フィルタ装置８の周囲からの外気の侵入を防止するための仕切板である。
【００２３】
フィルタ本体９は、図２及び図３に示すように、金網等のシート状防塵ネットを山折りと谷折りとで交互に折り曲げることによって形成されており、吸気口７（フィルタ本体９を通過する空気に対向する側）に向って突出する折目の頂部である山折り頂部９ａと、凹入する折目の底部である谷折り底部９ｂとを備えている。
【００２４】
各谷折り底部９ｂは、図４に示すように、剥離部材１２により覆われている。剥離部材１２は、フィルタ本体９に付着する塵埃を剥離するためのものであり、図３に示すように、細い棒（又はワイヤー）等の線状の部材によって形成されている。
【００２５】
各剥離部材１２は、谷折り底部９ｂの長手方向の長さと略等しい長さを有して上下に延びており、上下の両端には、第２フレーム１１に連結する連結部１３が設けられている。連結部１３は、剥離部材１２の上下に延在する部分を折り曲げることにより剥離部材１２と同一材料で一体に形成されている。なお、連結部１３は、剥離部材１２と同一材料でなくてもよく、また、図示しないが線状の部材に替えて板状の部材を用いてもよい。
【００２６】
以上の構成のフィルタ装置８による塵埃剥離方法としては、先ず、第１フレーム１０に第２フレーム１１を重ね合わせることによって各剥離部材１２を夫々谷折り底部９ｂに沿って配置させ、この状態でフィルタ装置８をフィルタ保持枠８ａに取り付ける。
【００２７】
フィルタ保持枠８ａに取り付けたフィルタ装置８は、ファン６の回転によって吸気口７から取り入れた外気の通過により、フィルタ本体９が空気中の塵埃を捕捉してエンジンルーム１への塵埃の侵入を阻止する。
【００２８】
フィルタ本体９に捕捉された塵埃は、山折り頂部９ａ側よりも谷折り底部９ｂ側に多く付着する。これにより、フィルタ本体９は、谷折り底部９ｂ側で多くの塵埃を捕捉しても、山折り頂部９ａ側では通気性が確保される。
【００２９】
谷折り底部９ｂで堆積する塵埃に剥離部材１２が埋没した後には、剥離部材１２を、谷折り底部９ｂの長手方向に交差する方向に移動させる。剥離部材１２は、第１フレーム１０から第２フレーム１１を離間させることにより移動させることができる。この作業はフィルタ装置８をフィルタ保持枠８ａから取り外して行ってもよく、第１フレーム１０をフィルタ保持枠８ａに取り付けた状態で第２フレーム１１のみを外すようにしてもよい。
【００３０】
そして、塵埃に埋設された状態にある剥離部材１２が、谷折り底部９ｂの長手方向に交差する方向に移動すると、剥離部材１２に付着している塵埃も移動し、これに伴って谷折り底部９ｂ側に付着する塵埃の剥離が生じる。これにより、フィルタ本体９からの塵埃の除去が容易となる。
【００３１】
また、フィルタ本体９を外気が通過しているときには、剥離部材１２が谷折り底部９ｂを覆っており、塵埃は剥離部材１２によって谷折り底部９ｂの最深部へ到達が阻止される。これにより、フィルタ本体９に付着した塵埃の除去作業を軽減することができる。
【００３２】
なお、図５に示すように、第１フレーム１０と第２フレーム１１との間にバネ等の付勢部材１４を設けてフィルタ装置８を構成してもよい。付勢部材１４は、第２フレーム１１を第１フレーム１０から離反する方向に付勢する。フィルタ装置８をフィルタ保持枠８ａに取り付けた状態では、付勢部材１４の付勢に抗して第１フレーム１０と第２フレーム１１とを当接或いは近接させ、フィルタ装置８をフィルタ保持枠８ａから取り外したとき、第２フレーム１１が付勢部材１４の付勢を用いて第１フレーム１０から離反させるようにする。こうすることにより、フィルタ装置８をフィルタ保持枠８ａから取り外すだけで、フィルタ本体９からの塵埃の除去が自動的に行われる。
【００３３】
また、上記の実施形態においては、剥離部材１２を谷折り底部９ｂの長手方向に交差する方向に移動させるように構成したものを示したが、図６に示すように、剥離部材１２を谷折り底部９ｂの長手方向に移動させるようにしてもよい。この場合、第１フレーム１０の上枠（又は下枠）に貫通孔１５を設け、この貫通孔１５に剥離部材１２を挿通させる。これにより、第１フレーム１０に対して第２フレーム１１を上方（又は下方）にスライドさせて剥離部材１２を移動させ、谷折り底部９ｂ側の塵埃を剥離させることができる。
【００３４】
また、図４に示すように、本実施形態における剥離部材１２は断面視円形とされているが、これに限らず、図示しないが、剥離部材の断面形状は多角形であってもよい。剥離部材１２の断面が多角形に形成されていることにより、剥離部材１２を谷折り底部９ｂの長手方向に交差する方向に移動させたとき、剥離部材１２への塵埃の付着が維持され易く、フィルタ本体９から塵埃を剥離させる際に有利となる。更に、剥離部材１２の表面に微細な凹凸（粗面）が形成されていることが好ましく、これによっても、剥離部材１２への塵埃の付着が維持されてフィルタ本体９からの塵埃の剥離を効率よく行うことができる。
【００３５】
また、本実施形態では、本発明のフィルタ装置８を油圧ショベルのエンジンルーム１に採用した例を示したが、油圧ショベル以外であっても、塵埃が多く発生してフィルタ本体９への塵埃の固着が生じやすい環境で使用される建設機械において特に好適に採用することができる。
【符号の説明】
【００３６】
８…フィルタ装置、９…フィルタ本体、９ａ…山折り頂部、９ｂ…谷折り底部、１０…第１フレーム（枠部）、１２…剥離部材（線状部材）。
【図１】
2018153759.tif 000003
【図２】
2018153759.tif 000004
【図３】
2018153759.tif 000005
【図４】
2018153759.tif 000006
【図５】
2018153759.tif 000007
【図６】
2018153759.tif 000008